(57)【特許請求の範囲】
【請求項１】
着信電話番号対応に通信履歴情報を収集する公衆電話通信システムにおいて、
発側交換機から課金済み信号を受信して、着信電話番号に対応する着信通話度数を加算して通信履歴情報に記憶し、
当該着信通話度数に応じて当該着信電話番号に対応するユーザに報賞を提供することを特徴とする公衆電話通信方法。
【請求項２】
着信電話番号対応に通信履歴情報を収集する公衆電話通信システムにおいて、
発側交換機から課金済み信号を受信して、着信電話番号に対応する着信通話度数を加算して通信履歴情報に記憶し、
当該着信通話度数に応じて当該着信電話番号に対応するユーザに無料通話度数を提供することを特徴とする公衆電話通信方法。
【請求項３】
着信電話番号対応に通信履歴情報を収集する公衆電話通信システムにおいて、
発側交換機から課金済み信号を受信して、着信電話番号に対応する着信通話度数を加算して通信履歴情報に記憶し、
当該着信通話度数に応じて当該着信電話番号に対応するユーザに電子マネーを提供することを特徴とする公衆電話通信方法。
【発明の詳細な説明】
【０００１】
【発明の属する技術分野】
本発明は、通信システム、特に、公衆電話通信方法に関するものである。
【０００２】
【従来の技術】
従来の公衆電話通信システムでは、テレゴングのような特定の電話回線に対して大量の着信があるようなサービスが提供されている。
【０００３】
電話を多く利用する発信者に対する割り引きは、例えば、ＮＴＴが提供するテレホーダイ等用意されているが、大量の着信が有るような着信者に対する割り引きは用意されていないのが現状である。
【０００４】
【発明が解決しようとする課題】
以上のように、従来の公衆電話通信システムにおいては、大量の着信の有るユーザに対して報賞を提供していないので通話の利用拡大が図れず通話収入の増大が見込めないという問題があった。
【０００５】
ここで、大量の着信が有るとは、テレゴングのようなサービスを利用した場合等のことで、例えば、一定時間内に一定以上の着信通話度数がある場合等のことである。
【０００６】
また、報賞を提供するとは、例えば、当該着信ユーザに無料通話度数を提供する、あるいは、電子マネーを提供する、等のことである。
【０００７】
本発明は上記の事情に鑑みてなされたもので、公衆電話通信システムにおいて、着信電話番号対応に着信通話度数を計数し、当該着信通話度数に応じて当該電話番号に対応するユーザに報賞を提供して通話利用を促進し通話収入の増大が図れる公衆電話通信方法を提供することを目的とする。
【０００８】
【課題を解決するための手段】
上記目的を達成するために本発明の公衆電話通信方法は、着信電話番号対応に通信履歴情報を収集する公衆電話通信システムにおいて、発側交換機から課金済み信号を受信して、着信電話番号に対応する着信通話度数を加算して通信履歴情報に記憶し、当該着信通話度数に応じて当該着信電話番号に対応するユーザに報賞を提供することを特徴とする。
【０００９】
また本発明の公衆電話通信方法は、着信電話番号対応に通信履歴情報を収集する公衆電話通信システムにおいて、発側交換機から課金済み信号を受信して、着信電話番号に対応する着信通話度数を加算して通信履歴情報に記憶し、当該着信通話度数に応じて当該着信電話番号に対応するユーザに無料通話度数を提供することを特徴とする。
【００１０】
また本発明の公衆電話通信方法は、着信電話番号対応に通信履歴情報を収集する公衆電話通信システムにおいて、発側交換機から課金済み信号を受信して、着信電話番号に対応する着信通話度数を加算して通信履歴情報に記憶し、当該着信通話度数に応じて当該着信電話番号に対応するユーザに電子マネーを提供することを特徴とする。
【００１２】
本発明は、公衆電話通信システムにおいて、着信電話番号対応に着信通話度数を計数し、当該着信通話度数に応じて当該電話番号に対応するユーザに報償を提供する構成としている。このように構成することにより、通話利用を促進し通話収入の増大が図れる。
【００１３】
【発明の実施の形態】
以下、本発明の実施形態例を図面により詳細に説明する。
【００１４】
本発明の第一の実施形態例では、報賞として無料通話度数を提供する場合の実施形態例を示す。
【００１５】
本発明の第一の実施形態例を実現する交換機の構成例を図１に示す。図中、１はオペレーティングシステム（ＯＳ）、２は通信履歴管理部、３は局間回線制御部、４は通信管理部、５は加入者回線制御部、６は加入者データ管理部を表している。
【００１６】
交換機における無料通話度数の提供に関するブロック間インタフェースの例を図４に示す。図４に示すように、交換機では、当該交換機収容のユーザに対する着信があると、従来と同様に、局間回線制御部３は当該着信を通信管理部４に通知する（ア）。通信管理部４は、従来と同様に、着信電話番号より当該ユーザの収容位置を求め加入者回線制御部５に通知する（イ）とともに、通信履歴管理部２に当該電話番号を通知して計数を要求する（ウ）。加入者回線制御部５は、当該ユーザに着信を通知する。通信履歴管理部２は、当該電話番号に対応する着信通話度数を加算し、通信履歴情報に記憶する。ここで、通信履歴情報の構成例を図２に示す。すなわち、図２に示すように、通信履歴情報として、電話番号に対応する着信通話度数が記憶される。局間回線制御部３は、発側交換機から課金済み信号を受信すると、当該信号を通信管理部４に通知する（エ）。通信管理部４は、前記と同様に、通信履歴管理部２に当該電話番号を通知して計数を要求する（オ）。通信履歴管理部２は、当該電話番号に対応する着信通話度数を加算し、通信履歴情報に記憶する。
【００１７】
そして、通信履歴管理部２は、随時、あるいは、一定の条件が満たされた場合等に、通信履歴情報を参照し、着信通話度数が一定値以上に達している電話番号を抽出して、当該電話番号及び当該着信通話回数を加入者データ管理部６に通知する（カ）とともに通信履歴情報中の当該着信通話度数を消去する。加入者データ管理部６は、当該電話番号の加入者データの無料通話度数を当該着信通話度数に対応する分だけ加算する。
【００１８】
ここで、加入者データの構成例を図３に示す。すなわち、図３に示すように、加入者データは、加入者クラス、契約サービス、無料通話度数等より構成される。
【００１９】
交換機における無料通話度数の提供に関するフローチャートの例を図５に示す。すなわち、図５に示すように、ステップＳ５１で電話番号対応に着信通話度数を計数し、ステップＳ５２で一定時間内の着信通話度数が一定回数以上になると、ステップＳ５３で着信通話度数に応じた無料通話度数を提供する。
【００２０】
本発明の第二の実施形態例では、報賞として電子マネーを提供する場合の実施形態例を示す。
【００２１】
本発明の第二の実施形態例を実現する交換機の構成例を図６に示す。図中、７はオペレーティングシステム（ＯＳ）、８は通信履歴管理部、９は局間回線制御部、１０は通信管理部、１１は加入者回線制御部、１２は加入者データ管理部、１３は電子マネー制御部、１４はインターネット回線制御部を表している。
【００２２】
交換機における電子マネーの提供に関するブロック間インタフェースの例を図８に示す。
【００２３】
本発明の第一の実施形態例と同様に、交換機は、着信通話回数を計数して通信履歴情報に記憶する。
【００２４】
そして、通信履歴管理部８は、随時、あるいは、一定の条件が満たされた場合等に、通信履歴情報を参照し、着信通話回数が一定値以上に達している電話番号を抽出して、当該電話番号及び当該着信通話回数を電子マネー制御部１３に通知する（キ）とともに通信履歴情報中の当該着信通話度数を消去する。電子マネー制御部１３は、当該電話番号を加入者データ管理部１２に通知する（ク）。加入者データ管理部１２は、当該電話番号の加入者データからメールアドレスを抽出し当該メールアドレスを電子マネー制御部１３に通知する（ケ）。ここで、加入者データの構成例を図７に示す。すなわち、図７に示すように、加入者データは、加入者クラス、契約サービス、メールアドレス等より構成される。電子マネー制御部１３は、当該着信通話度数に対応する価格の電子マネーを添付した電子メールを編集して前記で通知されたメールアドレスへの転送をインターネット回線制御部１４に要求する（コ）。インターネット回線制御部１４は、当該電子メールを送信する。
【００２５】
交換機における電子マネーの提供に関するフローチャートの例を図９に示す。すなわち、図９に示すように、ステップＳ９１で電話番号対応に着信通話度数を計数し、ステップＳ９２で一定時間内の着信通話度数が一定回数以上になると、ステップＳ９３で着信通話度数に応じた電子マネーを当該ユーザに電子メールで送信する。
【００２６】
【発明の効果】
以上説明したように、本発明によれば、公衆電話通信システムにおいて、着信電話番号対応に着信通話度数を計数し、当該着信通話度数に応じて当該電話番号に対応するユーザに報賞を提供して通話利用を促進し通話収入の増大が図れる。
【図面の簡単な説明】
【図１】本発明の第一の実施形態例を実現するための交換機の構成例を示すブロック図である。
【図２】本発明の第一の実施形態例を実現するための交換機における通信履歴情報の構成例を示す説明図である。
【図３】本発明の第一の実施形態例を実現するための交換機における加入者データの構成例を示す説明図である。
【図４】本発明の第一の実施形態例を実現するための交換機における無料通話度数の提供に関するブロック間インタフェースの例を示す説明図である。
【図５】本発明の第一の実施形態例を実現するための交換機における無料通話度数の提供に関するフローチャートの例を示す図である。
【図６】本発明の第二の実施形態例を実現するための交換機の構成例を示すブロック図である。
【図７】本発明の第二の実施形態例を実現するための交換機における加入者データの構成例を示す説明図である。
【図８】本発明の第二の実施形態例を実現するための交換機における電子マネーの提供に関するブロック間インタフエースの例を示す説明図である。
【図９】本発明の第二の実施形態例を実現するための交換機における電子マネーの提供に関するフローチャートの例を示す説明図である。
【符号の説明】
１  オペレーティングシステム（ＯＳ）
２  通信履歴管理部
３  局間回線制御部
４  通信管理部
５  加入者回線制御部
６  加入者データ管理部
【図１】
0003587760.tif 000002
【図２】
0003587760.tif 000003
【図３】
0003587760.tif 000004
【図４】
0003587760.tif 000005
【図５】
0003587760.tif 000006
【図６】
0003587760.tif 000007
【図７】
0003587760.tif 000008
【図８】
0003587760.tif 000009
【図９】
0003587760.tif 000010